(57)【要約】      （修正有）【課題】ユーザの手元に設置できる小型かつ簡便な空気フィルタ装置を提供する。【解決手段】表面に突起を有するエレクトレットシートを巻回して円環状に積層することにより巻回軸線方向に通気する吸入側フィルタ部材３２Ｘ及び吐出側フィルタ部材３２の間に、送風機３８と、脱臭部材４５と、殺菌剤層を付着した吸入側及び吐出側抑え籠部材５０とを設ける。【選択図】図２
0003156520.tif 000002
【実用新案登録請求の範囲】
【請求項１】
表面に突起を有するエレクトレットシートを巻回して円環状に積層することにより当該巻回軸線方向に通気路を形成してなりかつ互いに対向するように設けられた吸入側フィルタ部材及び吐出側フィルタ部材と、
上記吸入側フィルタ部材及び上記吐出側フィルタ部材間に設けられ、上記吸入側フィルタ部材を通して清浄化すべき空気を外部から吸入すると共に、当該空気を上記吐出側フィルタ部材を通して外部に吐出する送風機と、
上記吸入側フィルタ部材及び上記吐出側フィルタ部材間に設けられた脱臭部材と、
上記吸入側フィルタ部材及び上記吐出側フィルタ部材の内側にそれぞれ設けられ、網目を構成する桟部材を通して上記空気を通過させると共に、上記桟部材の表面に殺菌剤層を付着してなる吸入側及び吐出側抑え籠部材と
を具えることを特徴とする空気フィルタ装置。
【請求項２】
上記吸入側フィルタ部及び吐出側フィルタ部は、それぞれ積層してなる上記エレクトレットシートを巻回軸線方向に少しずつずらせることにより、当該巻回軸線上において互いに外方に膨出するドーム形状を有する
ことを特徴とする請求項１に記載の空気フィルタ装置。
【考案の詳細な説明】
【技術分野】
【０００１】
本考案は空気フィルタ装置に関し、特に室内の空気を清浄化するものである。
【背景技術】
【０００２】
空気中に浮遊している微細粒子を除去するフィルタ手段として、永久静電帯電した合成樹脂材料（これをエレクトレット材料と呼ぶ）からなるフィルムを多層に巻回し、その巻回軸方向に、フィルムの各層間を、清浄化すべき空気を通すことにより、フィルムの帯電を利用して空気中に含まれている微細粒子を吸着するものが提案されている（特許文献１参照）。
【先行技術文献】
【特許文献】
【０００３】
【特許文献１】特表２００６−５１３８５８公報
【考案の概要】
【考案が解決しようとする課題】
【０００４】
この種のフィルタ手段はフィルムを多層に巻回した簡易な構成をもっているので、これを利用して、例えば卓上に置くことにより、ユーザの周囲の空気を清浄化できると共に、簡便に持ち運んだり、置換えたりできるような、空気フィルタ装置を構築することが期待される。
【０００５】
本考案は以上の点を考慮してなされたもので、ユーザの手元において、手軽に周囲の空気を清浄化できるようにした空気フィルタ装置を提案しようとするものである。
【課題を解決するための手段】
【０００６】
かかる課題を解決するため本考案においては、表面に突起４２を有するエレクトレットシート４１を巻回して円環状に積層することにより当該巻回軸線Ｌ１方向に通気路を形成してなりかつ互いに対向するように設けられた吸入側フィルタ部材３３及び吐出側フィルタ部材３２と、吸入側フィルタ部材３２Ｘ及び吐出側フィルタ部材３２間に設けられ、吸入側フィルタ部材３２Ｘを通して清浄化すべき空気を外部から吸入すると共に、当該空気を吐出側フィルタ部材３２を通して外部に吐出する送風機３８と、吸入側フィルタ部材３２Ｘ及び吐出側フィルタ部材３２間に設けられた脱臭部材４５と、吸入側フィルタ部材３２Ｘ及び吐出側フィルタ部材３２の内側にそれぞれ設けられ、網目を構成する桟部材５１、５２を通して空気を通過させると共に、桟部材５１、５２の表面に殺菌剤層５３を付着してなる吸入側及び吐出側抑え籠部材５０、５０Ｘとを設けるようにする。
【考案の効果】
【０００７】
本考案によれば、表面に突起を有するエレクトレットシートを巻回して円環状に積層することにより当該巻回軸線方向に通気する吸入側フィルタ部材及び吐出側フィルタ部材の間に、送風機と、脱臭部材と、殺菌剤層を付着した吸入側及び吐出側抑え籠部材とを設けるようにしたことにより、小型にして取扱いが簡便な空気フィルタ装置を実現できる。
【図面の簡単な説明】
【０００８】
【図１】本考案の一実施の形態による空気フィルタ装置の全体構成を示す斜視図である。
【図２】図１のＡ−Ａ線上に断面を取って示すフィルタ装置本体の断面図である。
【図３】基盤部の構成を示す斜視図である。
【図４】吐出側フィルタ保持部を示す斜視図である。
【図５】フィルタ部材の説明に供する斜視図である。
【図６】フィルタ部材の突起の構成を示す略線図である。
【図７】抑え籠部材の構成を示す斜視図である。
【考案を実施するための形態】
【０００９】
以下図面について、本考案の一実施の形態を詳述する。
【００１０】
図１において、１は全体として空気フィルタ装置を示し、台部２上にフィルタ装置本体３を取りはずし自在に載置した構成を有する。
【００１１】
フィルタ装置本体３は、図２に示すように、円盤状の基盤部１１の前側の側面に吸入側フィルタ保持部１２が取り外し自在に装着されていると共に、後側に吐出側フィルタ保持部１３が取り外し自在に装着されている。
【００１２】
この実施の形態の場合、基盤部１１は、図３に示すように、合成樹脂材料によって成形された円板状基板１５の外周縁に円環状の結合部材１６が基板１５から前後にＴ字状に突出するよう形成されており、その前端部に吸入側フィルタ保持部１２の円形ドーム型のケース部材２１の外周端部が嵌め込まれていると共に、後端部に吐出側フィルタ保持部１３の円形ドーム型のケース部材２２の円端部が嵌め込まれている。
【００１３】
吐出側フィルタ保持部１３のケース部材２２の中心軸線Ｌ１上の内面には、当該中心軸線Ｌ１上において前方に突出するように、支持筒部材３１が設けられ、当該支持筒部材３１に対して、図４に示すように円環状の吐出側フィルタ部材３２が嵌め込み支持されている。
【００１４】
フィルタ部材３２は、図５に示すように、ポリプロピレンやポリエチレンなどの高分子合成樹脂でなるシート材料を１０〜４０［ｋＶ］コロナ放電装置などの帯電装置を用いて帯電してなるエレクトレットシート４１を巻回中心軸線Ｌ２を中心として多層に巻回した構成を有する。
【００１５】
エレクトレットシート４１の一面には、多数の突起４２がランダムな位置において厚み方向に折り曲げられることにより（図６（Ｂ））面上に突出するように設けられ、これにより、図６（Ａ）に示すように、積層されたエレクトレットシート４１の隣合う層間に突起４２が存在することにより、隣合うエレクトレットシート４１間に通気路４３が形成される。
【００１６】
かくして、図２において、中心軸線Ｌ１を中心として多層に積層するように巻回されたエレクトレットシート４１でなるフィルタ部材３２は、中心軸線Ｌ１に沿う方向、従ってフィルタ部材３２の厚み方向に多数の通気路４３が形成される。
【００１７】
この通気路４３は、エレクトレットシート４１が巻回加工される際に（図５）、突起４２が、巻回中心軸線Ｌ２の方向に見て一直線上に配列されずに、ランダムな位置に位置決めするように、形成されていることによって、巻回中心軸線Ｌ２に沿うみ方向に行くに従って複雑に折れ曲がった通気路４３を形成することになり、これにより巻回中心軸線Ｌ２に沿う方向に空気が流れたとき、当該複雑な通気路４３を流れている間に、空気中に浮遊する微細粒子が両側にあるエレクトレットシート４１に吸着される確率を大きくするように構成されている。
【００１８】
吐出側フィルタ保持部１３のケース部材２２の外側表面には、同心円状に３つの円環状通気開口３５Ａ、３５Ｂ及び３５Ｃが形成され、これによりフィルタ部材３２を通過した空気をフィルタ装置本体３の内部空間３Ａから外方に吐出させるようになされている。
【００１９】
吸入側フィルタ保持部１２は、吐出側フィルタ保持部１３との対応の部分に同一符号に添字Ｘを付して示すように、基盤部１１を間に挟んでケース部材２２と面対称となる構成を有し、同心円状の３つの通気開口３５ＡＸ、３５ＢＸ及び３５ＣＸを通じて外部の空気をフィルタ装置本体３内に吸入できるようになされている。
【００２０】
基板１５のほぼ中央位置には、厚味を貫通するように、送風機３８を取付保持する送風機取付開口３９が設けられ、これにより送風機３８が、矢印ａで示すように、吸入側フィルタ保持部１２の吸入側フィルタ部材３２Ｘを通って取り込んだ空気を、吐出側フィルタ保持部１３のフィルタ部材３２を通って外部に吐出するようになされている。
【００２１】
基板１５の吐出側フィルタ保持部１３側の面上には、送風機取付開口３９の周囲を取り囲むように、円環状の脱臭部材４５が設けられ、これにより、フィルタ装置本体３の内部空間３Ａに導入された空気を脱臭処理する。
【００２２】
この実施の形態の場合、脱臭部材４５は、活性炭を袋に詰めて円環状の形に成形した構成を有する。
【００２３】
ケース部材２２の内面には、ケース部材２２の中心部２２Ｂから外縁部２２Ｃに亘って、放射状に複数例えば５本の細い桟部材２２Ｃが内方に突出するように設けられ、これによりフィルタ部材３２がケース部材２２の内側に装着されたとき、フィルタ部材３２を構成するエレクトレットシート４１の各層部分の外面が、桟部材２２Ａの内面に当接することにより、積層されたエレクトレットシート４１が少しずつずれて、全体としてドーム形状になるような積層位置に保持される。
【００２４】
かくしてケース部材２２の内面に装着されたフィルタ部材３２は、支持筒部材３１を頂点としてドーム状に外側に湾曲することにより、全体として送風機３８に対向する中心部分において、送風機３８の周囲に比較的広い内部空間３Ａを形成するようになされている。
【００２５】
吸入側のケース部材２１についても同様にして、細い桟部材２１ＡＸに当接することにより、各層のエレクトレットシート４１が少しずれながら積層されることにより全体としてドーム形状になるように、その中心部分が外側に膨出するような形状のフィルタ部材３２Ｘが装着され、これによりフィルタ部材３２Ｘの内部に比較的広い内部空間３Ａを保持するようになされている。
【００２６】
フィルタ部材３２の内側には、図７に示すように、円形ドーム形状を有する抑え籠部材５０が設けられ、当該抑え籠部材５０の外周縁が基板１５から吐出側に円環状に突き出した支持環５５に嵌め込まれることにより、外側表面によってフィルタ部材３２の各層のエレクトレットシート４１を、内側から抑えるようになされている。
【００２７】
抑え籠部材５０は、図７に示すように、ドーム形状の頂点から放射状に外方に延長する複数の縦方向桟５１に対して同心円状の複数の横方向桟５２を交差させると共に、当該交差点を一体に固着した籠構造を有する。
【００２８】
かくして抑え籠部材５０は、縦方向桟５１及び横方向桟５２によって全体として網の目形状をもちながら内側からフィルタ部材３２に当接することにより、内側から外側に対して清浄化すべき空気を網の目を通して通過させると共に、縦方向桟５１及び横方向桟５２の外表面とケース部材５３Ａの桟部材２２Ａとの間に挟みこむことにより、フィルタ部材３２の形状をドーム形状に保持させる。
【００２９】
これに加えて抑え籠部材５０の表面には、例えば銀又は銅でなる殺菌剤層５３がメッキにより付着されており、これにより縦方向桟５１及び横方向桟５２間の網目を清浄化すべき空気が通過したとき、当該清浄化すべき空気中に浮遊している細菌をメッキされている殺菌剤層５３に触れさせることにより殺菌できるようになされておる。
【００３０】
吸入側フィルタ保持部１２のケース部材２１にも、そのフィルタ部材３２Ｘの内側に、抑え籠部材５０と基板１５を挟んで面対称の構成を有する抑え籠部材５０Ｘ（図７）が設けられており、この抑え籠部材５０Ｘによってフィルタ部材３２Ｘをケース部材２１の桟部材２１ＡＸとの間に挟着保持すると共に、吸入された空気が抑え籠部材５０Ｘの網目を通るとき、浮遊している殺菌をメッキされている殺菌剤層５３に触れさせることにより殺菌できるようになされている。
【００３１】
以上の構成において、基盤部１１に取り付けられている送風機３８のモータを外部電源（図示せず）によって駆動することにより、吸入側フィルタ保持部１２の外側から清浄化すべき空気をフィルタ部材３２Ｘを通してフィルタ装置本体３の内部空間３Ａに吸入する。
【００３２】
当該吸入された空気は、送風機３８によって吐出側フィルタ保持部１３のフィルタ部材３２を通してフィルタ装置本体３から外部に吐出される。
【００３３】
その結果、清浄化すべき空気内に浮遊している微細粒子は、フィルタ部材３２Ｘ及び３２の通気路４３を通る際に帯電されているエレクトレットシート４１に吸着されることにより、フィルタ装置本体３は清浄化した空気を吐出する。
【００３４】
これと共に、当該清浄化すべき空気がフィルタ装置本体３の内部空間３Ａに吸入されたとき、基盤部１１に設けられた脱臭部材４３に触れることにより、脱臭されてフィルタ装置本体３から吐出される。
【００３５】
さらにこれと共に、清浄化すべき空気がフィルタ部材３２Ｘ及び３２に対する抑え籠部材５０及び５０Ｘの縦方向桟５１及び横方向桟５２間の網目を通る際に、その表面に付着された殺菌剤層５３によって、当該清浄化すべき空気を、内部に浮遊する細菌を殺菌して、フィルタ装置本体３から吐出する。
【００３６】
以上の構成によれば、フィルタ部材３２Ｘ及び３２が永久帯電されたエレクトレット材料でなるエレクトレットシート４１を円環状に巻回して多層構造にしたことにより、全体としての構成が小型かつ簡便な構成によって空気フィルタ装置１を得ることができる。
【００３７】
かくするにつき当該フィルタ部材３２Ｘ及び３２をエレクトレットシート４１を多層に巻回して構成したことにより、その各層のエレクトレットシート４１を少しずつずらせることができることにより、吸入側及び吐出側のフィルタ部材３２Ｘ及び３２をドーム形状に外方に膨出させることができることにより、当該フィルタ部材３２Ｘ及び３２間に、送風機３８並びに脱臭部材４５及び殺菌剤層５３を設けるための空間を無理なく設けることができる。
【００３８】
その結果全体としての構成が簡易かつ取扱いに簡便な空気フィルタ装置１を実現できる。
【００３９】
なお上述の実施の形態においては、空気フィルタ装置１として、台部２上にフィルタ装置本体３を置くことにより、机上設置型に構成したが、設置場所はこれに限らず、床に置いたり、空間に吊るしたりすることなど種々の設置の仕方に応用できる。
【００４０】
また上述の実施の形態においては、エレクトレットシート４１に対する突起４２の設置位置をランダムにした場合について述べたが、例えば千鳥模様のように規則性をもたせた配置にしても良く、要はエレクトレットシート４１を巻回することによりフィルタ部材３２及び３２Ｘを形成したとき、当該フィルタ部材３２及び３２Ｘを通る空気が層間の突起４２に当たることにより折れ曲がった通気路４３を形成させるようにすれば良い。
【産業上の利用可能性】
【００４１】
本考案はユーザの手元においてその周囲の空気を清浄化する場合に利用できる。
【符号の説明】
【００４２】
1……空気フィルタ装置、２……台部、３……フィルタ装置本体、１１……基盤部、１２……吸入側フィルタ保持部、１３……吐出側フィルタ保持部、１５……基板、１６……結合部材、２１、２２……ケース部材、２２Ａ、２２ＡＸ……桟部材、３１、３１Ｘ……支持筒部材、３２、３２Ｘ……フィルタ部材、３８……送風機、３９……送風機取付開口、４５……脱臭部材、５０、５０Ｘ……抑え籠部材、５１、５２……縦、横方向桟、５３……殺菌剤層。
【図１】
0003156520.tif 000003
【図２】
0003156520.tif 000004
【図３】
0003156520.tif 000005
【図４】
0003156520.tif 000006
【図５】
0003156520.tif 000007
【図６】
0003156520.tif 000008
【図７】
0003156520.tif 000009